(57)【要約】【課題】ウィザード形式による設定において、必要な操作を的確に案内しつつ、ユーザの操作を少なくすることができる操作装置を提供する。【解決手段】操作装置は、次にキー４１０５ａが操作されると受付画面を次の受付画面に切り替えることにより、複数の受付画面を順番にウィザード形式で表示部に表示させる制御をする表示制御部と、連続して同じ設定値が入力された受付画面について、次にキー４１０５ａの操作を条件とせずに次の受付画面に切り替わるスライドショーの対象にする決定をする決定部と、を備えており、表示制御部は、決定部によってスライドショーの対象にする決定がされた設定画面を表示部に表示させると、次にキー４１０５ａの操作を条件とせずに次の受付画面に切り替える制御をする。【選択図】図１０
2011173301.tif 000002
【特許請求の範囲】
【請求項１】
表示部と、
複数の設定画面のデータにより構成されるウィザード形式の画面データを予め記憶している第１の記憶部と、
前記設定画面に設定項目の入力をするための第１の入力部と、
前記第１の記憶部に記憶されている前記画面データを用いた表示制御であり、前記第１の入力部によって設定項目が入力されると前記表示部に表示されている設定画面を次の設定画面に切り替えることにより、前記複数の設定画面を順番にウィザード形式で前記表示部に表示させる制御をする表示制御部と、
前記複数の設定画面のうち予め定められた操作がされた設定画面について、前記第１の入力部による設定項目の入力を条件とせずに次の設定画面に切り替わるスライドショーの対象にする決定をする決定部と、を備えており、
前記表示制御部は、前記決定部によってスライドショーの対象にする決定がされた設定画面を前記表示部に表示させると、予め定められた時間の経過後に前記第１の入力部による設定項目の入力を条件とせずに次の設定画面に切り替える制御をする操作装置。
【請求項２】
前記複数の設定画面のそれぞれに、前記第１の入力部によって入力される設定項目についての設定値を毎回記憶する第２の記憶部と、
前記第２の記憶部に記憶されている設定値を利用して、同じ設定画面に連続して同じ設定値が入力されたか否かを前記複数の設定画面のそれぞれについて判定する判定部と、
前記決定部は前記判定部によって連続して同じ設定値が入力された判定がされた設定画面について、当該設定値を前記第１の入力部が受け付けるデフォルト値とし、前記予め定められた操作がされた設定画面としてスライドショーの対象にする決定をし、
前記表示制御部は、前記決定部によってスライドショーの対象にする決定がされた設定画面を、前記デフォルト値が設定された状態で表示する制御をする請求項１に記載の操作装置。
【請求項３】
前記複数の設定画面のうちスライドショーの対象とする設定画面を選択すると共に当該設定画面にデフォルト値を設定する入力をするための第２の入力部と、
前記決定部は前記第２の入力部によって選択されて前記デフォルト値が設定された設定画面を、前記予め定められた操作がされた設定画面としてスライドショーの対象にする決定をし、
前記表示制御部は、前記決定部によってスライドショーの対象にする決定がされた設定画面を、前記デフォルト値が設定された状態で表示する制御をする請求項１又は２に記載の操作装置。
【請求項４】
スライドショーの時間を設定する入力をするための第３の入力部と、
前記第３の入力部により入力されたスライドショーの時間内に収まるように、前記決定部でスライドショーの対象とする決定がされた設定画面のそれぞれについて、前記表示部での表示時間を割り当てる割当部と、をさらに備えており、
前記表示制御部は前記割当部で割り当てられた時間に従って、前記決定部でスライドショーの対象にする決定がされた設定画面のそれぞれの表示を制御する請求項１〜３のいずれかに記載の操作装置。
【請求項５】
前記表示部に順番に表示される前記複数の設定画面のそれぞれは、前記複数の設定画面に対応する複数の対応画像を並べて配置して、当該配置を用いて前記複数の設定画面が表示される進行状況を示す進行状況画像を含み、前記対応画像はスライドショーの対象となる設定画面とスライドショーの対象とならない設定画面とで区別されている請求項１〜４のいずれかに記載の操作装置。
【請求項６】
スライドショーの対象になっている設定画面をスライドショーの対象から外すために、スライドショーの対象となる設定画面の前記対応画像を指定する入力をするための第４の入力部をさらに備えており、
前記第４の入力部による入力を基にして、スライドショーの対象から外す選択がされた設定画面について、前記表示制御部は当該設定画面を次の設定画面に切り替えるのに前記第１の入力部による設定項目の入力を必要とする表示制御に戻す請求項５に記載の操作装置。
【請求項７】
請求項１〜６のいずれかに記載の操作装置と、
前記操作装置で設定された設定項目の設定値に基づいて用紙に画像形成動作をする画像形成部と
を備える画像形成装置。
【発明の詳細な説明】
【技術分野】
【０００１】
本発明は例えば画像形成装置に備えられる操作装置に関する。
【背景技術】
【０００２】
画像形成装置には、その機能(例えばコピー)を実行するための各種設定(例えば、コピーであれば、用紙サイズ、倍率、濃度、集約、原稿画質等)をウィザード形式で行える操作部を備えるものがある(例えば特許文献１(段落００３９〜００５２)参照)。ウィザード形式によれば、設定画面に表示された指示に従って順番に設定することにより、設定項目が多くても迷わずに設定することができる。
【先行技術文献】
【特許文献】
【０００３】
【特許文献１】特開２００１−４７７０８号公報
【発明の概要】
【発明が解決しようとする課題】
【０００４】
ウィザード形式による設定は、設定項目毎に設定画面を切り替える操作が必要となるので、設定に慣れてくると、設定画面を切り替える操作が煩わしく感じることが考えられる。
【０００５】
本発明は、ウィザード形式による設定において、必要な操作を的確に案内しつつ、ユーザの操作を少なくすることができる操作装置及びそれを備える画像形成装置を提供することを目的とする。
【課題を解決するための手段】
【０００６】
上記目的を達成する本発明の一の局面に係る操作装置は、表示部と、複数の設定画面のデータにより構成されるウィザード形式の画面データを予め記憶している第１の記憶部と、前記設定画面に設定項目の入力をするための第１の入力部と、前記第１の記憶部に記憶されている前記画面データを用いた表示制御であり、前記第１の入力部によって設定項目が入力されると前記表示部に表示されている設定画面を次の設定画面に切り替えることにより、前記複数の設定画面を順番にウィザード形式で前記表示部に表示させる制御をする表示制御部と、前記複数の設定画面のうち予め定められた操作がされた設定画面について、前記第１の入力部による設定項目の入力を条件とせずに次の設定画面に切り替わるスライドショーの対象にする決定をする決定部と、を備えており、前記表示制御部は、前記決定部によってスライドショーの対象にする決定がされた設定画面を前記表示部に表示させると、予め定められた時間の経過後に前記第１の入力部による設定項目の入力を条件とせずに次の設定画面に切り替える制御をする。
【０００７】
この発明によれば、ウィザード形式の設定で用いられる複数の設定画面のうち予め定められた操作がされた設定画面について、設定項目の入力を条件とせずに次の設定画面に切り替えるスライドショーで表示する。このため、ウィザード形式による設定において、必要な操作を的確に案内しつつ、ユーザの操作を少なくすることができる。なお、設定項目の入力とは、少なくとも設定項目に対する設定値を入力する操作を含み、次にキーの操作は含まれなくてもよい。設定値を入力することにより次の設定画面に切り替わる表示制御があるからである。
【０００８】
上記構成において、前記複数の設定画面のそれぞれに、前記第１の入力部によって入力される設定項目についての設定値を毎回記憶する第２の記憶部と、前記第２の記憶部に記憶されている設定値を利用して、同じ設定画面に連続して同じ設定値が入力されたか否かを前記複数の設定画面のそれぞれについて判定する判定部と、前記決定部は前記判定部によって連続して同じ設定値が入力された判定がされた設定画面について、当該設定値を前記第１の入力部が受け付けるデフォルト値とし、前記予め定められた操作がされた設定画面としてスライドショーの対象にする決定をし、前記表示制御部は、前記決定部によってスライドショーの対象にする決定がされた設定画面を、前記デフォルト値が設定された状態で表示する制御をすることができる。
【０００９】
この構成によれば、連続して同じ設定値が入力された設定画面については、次回も同じ設定値が入力されるものと見なして、その設定値をデフォルト値として、スライドショーで表示する。これにより、ユーザは設定項目を入力する操作及び次に入力される可能性の高い値を入力する操作を省略することができる。
【００１０】
上記構成において、前記複数の設定画面のうちスライドショーの対象とする設定画面を選択すると共に当該設定画面にデフォルト値を設定する入力をするための第２の入力部と、前記決定部は前記第２の入力部によって選択されて前記デフォルト値が設定された設定画面を、前記予め定められた操作がされた設定画面としてスライドショーの対象にする決定をし、前記表示制御部は、前記決定部によってスライドショーの対象にする決定がされた設定画面を、前記デフォルト値が設定された状態で表示する制御をすることができる。
【００１１】
この構成によれば、ユーザが連続して同じ設定値を入力する予定の設定画面について、その設定値をデフォルト値として、最初からスライドショーで表示させることができる。これにより、ユーザは次にキーを操作する手間及び設定値を入力する手間を最初から省くことができる。
【００１２】
上記構成において、スライドショーの時間を設定する入力をするための第３の入力部と、前記第３の入力部により入力されたスライドショーの時間内に収まるように、前記決定部でスライドショーの対象とする決定がされた設定画面のそれぞれについて、前記表示部での表示時間を割り当てる割当部と、をさらに備えており、前記表示制御部は前記割当部で割り当てられた時間に従って、前記決定部でスライドショーの対象にする決定がされた設定画面のそれぞれの表示を制御することができる。
【００１３】
この構成によれば、スライドショーの時間を予めユーザが設定することで、スライドショーの対象となる設定画面の数が増えても、スライドショーの時間が長くならないようにできる。よって、スライドショーの時間が長くなることにより、ウィザード形式による設定に要する時間が長くなることを防止することができる。
【００１４】
上記構成において、前記表示部に順番に表示される前記複数の設定画面のそれぞれは、前記複数の設定画面に対応する複数の対応画像を並べて配置して、当該配置を用いて前記複数の設定画面が表示される進行状況を示す進行状況画像を含み、前記対応画像はスライドショーの対象となる設定画面とスライドショーの対象とならない設定画面とで区別されているようにできる。
【００１５】
この構成によれば、設定画面に対応する対応画像を、スライドショーの対象となる設定画面と対象とならない設定画面とで区別しているので、何番目に表示される設定画面がスライドショー形式で表示されるのかをユーザが予め把握することができる。したがって、スライドショーの対象となる設定画面と対象とならない設定画面をユーザはスムーズに使い分けることができる。  
【００１６】
上記構成において、スライドショーの対象になっている設定画面をスライドショーの対象から外すために、スライドショーの対象となる設定画面の前記対応画像を指定する入力をするための第４の入力部をさらに備えており、前記第４の入力部による入力を基にして、スライドショーの対象から外す選択がされた設定画面について、前記表示制御部は当該設定画面を次の設定画面に切り替えるのに前記第１の入力部による設定項目の入力を必要とする表示制御に戻すようにできる。
【００１７】
この構成によれば、スライドショーの対象となる設定画面の対応画像を指定する入力を基にして、スライドショーの対象から外す設定画面の選択をするので、スライドショーの対象から外したい設定画面をスムーズに選択できる。
【００１８】
上記目的を達成する本発明の他の局面に係る画像形成装置は、操作装置と、前記操作装置で設定された設定項目の設定値に基づいて用紙に画像形成動作をする画像形成部とを備える。
【００１９】
この構成によれば、上述した操作装置による効果が得られる。
【発明の効果】
【００２０】
本発明によれば、ウィザード形式による設定において、必要な操作を的確に案内しつつ、ユーザの操作を少なくすることができる。
【図面の簡単な説明】
【００２１】
【図１】本発明の一実施形態に係る画像形成装置の内部構造の概略を示す図である。
【図２】上記画像形成装置に備えられる操作部の拡大平面図である。
【図３】上記画像形成装置の電気的な構成を示すブロック図である。
【図４】コピー機能についてのワークフロー作成及び登録時に表示される画面の遷移を示す図である。
【図５】コピー機能のワークフローを呼び出した場合に表示される画面の遷移を示す図である。
【図６】スライドショーの対象となる受付画面を決定するプロセスを説明するフローチャートである。
【図７】スライドショーの登録画面を示す図である。
【図８】スライドショーの対象となる受付画面を含む場合の受付画面を示す図である。
【図９】スライドショーの対象となる受付画面を示す文字画像と対象とならない受付画面を示す文字画像を含む画面を示す図である。
【図１０】スライドショーの対象となる受付画面を含む場合の受付画面の切り替え制御を説明するフローチャートである。
【発明を実施するための形態】
【００２２】
以下、図面に基づいて本発明の実施形態を詳細に説明する。図１は本発明の一実施形態に係る画像形成装置１の内部構造の概略を示す図である。画像形成装置１は例えば、コピー、プリンタ、スキャナ及びファクシミリの機能を有するデジタル複合機に適用することができる。画像形成装置１は装置本体１００、装置本体１００の上に配置された原稿読取部２００、原稿読取部２００の上に配置された原稿給送部３００、装置本体１００の上部前面に配置された操作部４００、及び装置本体１００の用紙搬出側、例えば左側に配置された用紙後処理部５００を備える。
【００２３】
原稿給送部３００は原稿載置部３０１、給紙ローラ３０３、原稿搬送部３０５及び原稿排出部３０７を備える。給紙ローラ３０３は原稿載置部３０１にセットされた原稿を１枚ずつ繰り出す。原稿搬送部３０５は繰り出された原稿を原稿読取部２００に搬送する。原稿は原稿読取部２００で読み取られて原稿排出部３０７に排出される。このように原稿給送部３００は自動原稿送り装置として機能し、原稿載置部３０１に置かれた複数枚の原稿を連続的に原稿読取部２００に送ることができる。
【００２４】
原稿読取部２００はＣＣＤ(Charge Coupled Device)センサ及び露光ランプ等を搭載したキャリッジ２０１、ガラス等の透明部材により構成された原稿台２０３、及び原稿読取スリット２０５を備える。原稿台２０３に載置された原稿を読み取る場合、キャリッジ２０１を原稿台２０３の長手方向に移動させながらＣＣＤセンサにより原稿を読み取る。これに対して、原稿給送部３００から給送された原稿を読み取る場合、キャリッジ２０１を原稿読取スリット２０５と対向する位置に移動させて、原稿給送部３００から送られてきた原稿を、原稿読取スリット２０５を通してＣＣＤセンサにより読み取る。ＣＣＤセンサは読み取った原稿を画像データとして出力する。
【００２５】
装置本体１００は用紙貯留部１０１、画像形成部１０３及び定着部１０５を備える。用紙貯留部１０１は装置本体１００の最下部に配置されており、用紙の束を貯留することができる用紙トレイ１０７を備える。用紙トレイ１０７に貯留された用紙の束において、最上位の用紙がピックアップローラ１０９の駆動により、用紙搬送部１１１へ向けて繰り出される。用紙は用紙搬送部１１１を通って、画像形成部１０３へ搬送される。
【００２６】
画像形成部１０３は搬送されてきた用紙にトナー画像を形成する。画像形成部１０３は感光体ドラム１１３、露光部１１５、現像部１１７及び転写部１１９を備える。露光部１１５は画像データ(原稿読取部２００から出力された画像データ、パソコンから送信された画像データ、ファクシミリ受信の画像データ等)に対応する光を生成し、一様に帯電された感光体ドラム１１３の周面に照射する。これにより、感光体ドラム１１３の周面には画像データに対応する静電潜像が形成される。この状態で感光体ドラム１１３の周面に現像部１１７からトナーを供給することにより、周面には画像データに対応するトナー画像が形成される。このトナー画像は転写部１１９によって先ほど説明した用紙貯留部１０１から搬送されてきた用紙に転写される。
【００２７】
トナー画像が転写された用紙は定着部１０５に送られる。定着部１０５において、トナー画像と用紙に熱と圧力が加えられて、トナー画像を用紙に定着させる。これにより、用紙への画像の印刷が完了する。この印刷済用紙に対して後処理がされる場合、印刷済用紙は装置本体１００の用紙排出口１２１から用紙後処理部５００へ送られる。これに対して後処理がされない場合、印刷済用紙は排紙トレイ１２３に排紙される。
【００２８】
用紙後処理部５００では印刷済用紙に対して、ソート、ステープル、パンチ、中綴じ等の後処理がされる。用紙後処理部５００は用紙搬入口５０１、用紙搬送部５０３、用紙搬出口５０５及びスタックトレイ５０７等を備える。用紙搬送部５０３は用紙排出口１２１から用紙搬入口５０１に搬入された印刷済用紙を順次搬送し、後処理がされた印刷済用紙を用紙搬出口５０５からスタックトレイ５０７へ搬出する。スタックトレイ５０７は用紙搬出口５０５から搬出された上記用紙の集積枚数に応じて矢印方向に上下動可能な構成を有する。
【００２９】
操作部４００は操作キー部４０１と表示部４０３を備える。操作部４００について図２を用いて説明する。図２は操作部４００の拡大平面図である。表示部４０３はタッチパネル機能を有しており、ソフトキーを含む画面が表示される。ユーザは画面を見ながらソフトキーを操作することによって、コピー等の機能の実行に必要な設定等をする。
【００３０】
操作キー部４０１はハードキーからなる操作キーを備えており、具体的にはヘルプキー４０５、スタートキー４０７、テンキー４０９及び機能切換キー４１１等を備える。ヘルプキー４０５はヘルプ画面を表示部４０３に表示させるキーである。ヘルプ画面とはスキャナ、ファクシミリ、プリンタ、コピー等の機能に関する操作方法が表示された画面である。
【００３１】
スタートキー４０７はコピー、ファクシミリ送信等の動作を開始させるキーである。テンキー４０９はコピー部数、ファクシミリ番号等の数字を入力するキーである。
【００３２】
機能切換キー４１１はコピーキー４１３、送信キー４１５及びボックスキー４１７等を備えており、コピー機能、送信機能、ボックス機能等を相互に切り替えるキーである。
【００３３】
コピーキー４１３を操作すれば、コピーの初期画面が表示部４０３に表示される。送信キー４１５を操作すれば、ファクシミリ送信及びメール送信の初期画面が表示部４０３に表示される。
【００３４】
ボックスキー４１７を操作すれば、ドキュメントボックスの初期画面が表示部４０３に表示される。ドキュメントボックス機能とはドキュメントボックスに記憶されているデータを読み出して印刷する機能である。ドキュメントボックスは画像形成装置１の各ユーザに割り当てることができ、原稿読取部２００で読み取られた原稿の画像データ、電子メール、ファイル等のデータが記憶される。画像形成装置１は後述するＨＤＤ(Hard Disk Drive)７００を備えており、ＨＤＤ７００の記憶領域の一部がドキュメントボックスとして利用される。
【００３５】
ワークフローキー４１９はワークフローのモードを選択するためのキーである。ワークフローとは画像形成装置１の複数の処理項目のうち予め定められた複数の処理項目の組み合わせたものである。例えば「雑誌を作成」のワークフローでは、雑誌を作成するのに必要な処理項目(部数、用紙サイズ、倍率、両面コピー、ステープル、表紙付加等)を組み合わせたものを用意する。これにより、画像形成装置１を利用して雑誌を作成したいユーザの利便性を向上させる。ワークフローは予め用意されており、メーカが用意してもよいし、ユーザが用意してもよい。
【００３６】
ワークフローキー４１９を操作すれば、ワークフローのモードの画面が表示部４０３に表示される。ユーザはその画面を利用して、ワークフローの新規作成と登録、ワークフローの削除、ワークフローの呼び出し等をすることができる。
【００３７】
図３は図１に示す画像形成装置１の電気的な構成を示すブロック図である。画像形成装置１は装置本体１００、原稿読取部２００、原稿給送部３００、操作部４００、用紙後処理部５００、制御部６００、ＨＤＤ７００及び通信部８００がバスによって相互に接続された構成を有する。装置本体１００、原稿読取部２００、原稿給送部３００及び用紙後処理部５００に関しては既に説明したので、説明を省略する。
【００３８】
操作部４００は操作装置の一例であり、第１、第２、第３及び第４の入力部の機能を有する。第１の入力部は複数の設定画面を順番にウィザード形式で表示部４０３に表示させる場合に、表示部４０３に表示されている設定画面を次の設定画面に切り替える切替命令を入力するために用いられる。
【００３９】
第１の入力部は設定画面に設定項目を入力するために用いられる。本実施形態での設定項目の入力には、設定項目に対する設定値を入力する操作と、次の設定画面に切り替える切替命令をする次にキーの操作とが含まれる。但し、設定項目の入力とは、少なくとも設定項目に対する設定値を入力する操作を含み、次にキーの操作は含まれなくてもよい。設定値を入力することにより次の設定画面に切り替わる表示制御があるからである。
【００４０】
第２の入力部は上記複数の設定画面のうちスライドショーの対象とする設定画面を選択すると共に当該設定画面にデフォルト値を設定する入力をするために用いられる。第３の入力部はスライドショーの時間を設定する入力をするために用いられる。第４の入力部はスライドショーの対象にされている設定画面をスライドショーの対象から外す操作をするために用いられる。
【００４１】
制御部６００はＣＰＵ(Central Processing Unit)、ＲＯＭ(Read Only Memory)、ＲＡＭ(Random Access Memory)及び画像メモリ等を備える。ＣＰＵは画像形成装置１を動作させるために必要な制御を、画像形成装置１を構成する上記ハードウェアに対して実行する。ＲＯＭは画像形成装置１の動作の制御に必要なソフトウェアを記憶している。ＲＡＭはソフトウェアの実行時に発生するデータの一時的な記憶及びアプリケーションソフトの記憶等に利用される。画像メモリは画像データ(原稿読取部２００から出力された画像データ、パソコンから送信された画像データ、ファクシミリ受信の画像データ等)を一時的に記憶する。
【００４２】
制御部６００は記憶部６０１、表示制御部６０３、決定部６０５、判定部６０７及び割当部６０９を備える。
【００４３】
記憶部６０１は画像形成装置１の操作に利用される画面を表示部４０３に表示させるための各種データ、及びスキャナ機能、ファクシミリ機能、プリンタ機能、コピー機能等の動作状況等を表示部４０３に表示するための画像データを記憶している。
【００４４】
また、記憶部６０１は画像形成装置１で実行可能な機能についての各処理項目の組み合わせでなるテンプレートを複数記憶する。このテンプレートは例えば、コピー動作等の機能毎に、各機能で適用する部数、用紙サイズ、倍率、濃度、集約印刷、原稿画質、両面分割等の処理項目の組み合わせである。
【００４５】
テンプレートは、コピー動作等の機能を実行するために登録が必要な各設定入力をユーザに案内する処理を行うためのワークフロー、又は、コピー動作等の機能を実行する際に適用される各処理項目の設定内容(設定値)を記憶して当該各設定内容でコピー動作等の機能を実行させるワークフローに用いられる。
【００４６】
記憶部６０１は第１の記憶部と第２の記憶部の機能を有する。第１の記憶部は複数の設定画面のデータにより構成されるウィザード形式の画面データを予め記憶している。画面データとは例えばウィザード形式で各種設定がされるワークフローに用いられる受付画面のデータである。第２の記憶部は上記複数の設定画面を順番にウィザード形式で表示部４０３に表示させて設定値を入力する操作において、複数の設定画面のそれぞれに第１の入力部によって入力される設定項目についての設定値を毎回記憶する。  
【００４７】
表示制御部６０３は表示部４０３に画面を表示する制御をする。特に、本実施形態では表示制御部６０３は以下の表示制御をする。表示制御部６０３は第１の記憶部に記憶されている画面データを用いた表示の制御をし、第１の入力部によって設定項目が入力されると表示部４０３に表示されている設定画面を次の設定画面に切り替えることにより、複数の設定画面を順番にウィザード形式で表示部４０３に表示させる制御をする。表示制御部６０３は決定部６０５によってスライドショーの対象にする決定がされた設定画面を表示部４０３に表示させると、予め定められた時間の経過後に第１の入力部による設定項目の入力を条件とせずに次の設定画面に切り替える制御をする。
【００４８】
決定部６０５は上記複数の設定画面のうち予め定められた操作がされた設定画面について、第１の入力部による設定項目の入力を条件とせずに次の設定画面に切り替わるスライドショーの対象にする決定をする。予め定められた操作とは本実施形態では二つある。一つは同じ設定画面に連続して同じ設定値を入力する操作である。他の一つは第２の入力部によりスライドショーの対象となる設定画面を選択する操作である。
【００４９】
判定部６０７は第２の記憶部に記憶されている設定値を利用して、同じ設定画面に連続して同じ設定値が入力されたか否かを複数の設定画面のそれぞれについて判定する。
【００５０】
割当部６０９は第３の入力部により入力されたスライドショーの時間内に収まるように、決定部６０５でスライドショーの対象とする決定がされた設定画面のそれぞれについて、表示部４０３での表示時間を割り当てる。
【００５１】
ＨＤＤ７００は原稿読取部２００から出力された画像データ、パソコンから送信された画像データ、ファクシミリ受信の画像データ等のデータの保存に利用される。上述したようにＨＤＤ７００の記憶領域の一部はドキュメントボックスとして利用される。
【００５２】
通信部８００はファクシミリ通信部８０１及びネットワークＩ／Ｆ部８０３を備える。ファクシミリ通信部８０１は相手先ファクシミリとの電話回線の接続を制御するＮＣＵ(Network Control Unit)及びファクシミリ通信用の信号を変復調する変復調回路を備える。ファクシミリ通信部８０１は電話回線８０５に接続される。
【００５３】
ネットワークＩ／Ｆ部８０３はＬＡＮ(Local Area Network)８０７に接続される。ネットワークＩ／Ｆ部８０３はＬＡＮ８０７に接続されたパソコン等の端末装置との間で通信を実行するための通信インターフェイス回路である。
【００５４】
次に、画像形成装置１でワークフローの作成及び登録をする処理について説明する。図４は、コピー機能についてのワークフロー作成及び登録時に表示部４０３に表示される画面の遷移を示す図である。
【００５５】
画像形成装置１の主電源がユーザによりオンとされ、例えば、図２に示すコピーキー４１３が操作されてコピー機能が選択された時、表示制御部６０３は表示部４０３に図略の初期画面を表示させる。
【００５６】
この初期画面の表示時に、操作部４００のワークフローキー４１９がユーザにより操作されると、表示制御部６０３は表示部４０３に図４に示すワークフロー画面４１０１を表示させる。これにより、ワークフローの作成、登録及び削除の操作が可能となる。ワークフロー画面４１０１には、ユーザからワークフローの新規登録及び削除を受け付けるための新規登録／削除ボタン４１０１ｇが含まれる。
【００５７】
なお、上記初期画面の表示時にワークフローキー４１９がユーザにより操作されず、ユーザにより用紙サイズ等の各種設定がされて、スタートキー４０７が操作されると、その設定に従ったコピー動作が実行される。
【００５８】
図４に示すワークフロー画面４１０１の表示中に、ユーザにより新規登録／削除ボタン４１０１ｇが操作されて、タッチパネル機能によりワークフローの新規登録／削除をする指示が受け付けられると、表示制御部６０３は、ワークフロー登録／削除画面４１０２(図４)を表示部４０３に表示させる。以下、表示部４０３に表示されるボタン(ソフトキー)を操作する説明では、タッチパネル機能によりその操作が受け付けられることの記載は省略する。ワークフロー登録／削除画面４１０２は、ワークフローの新規登録又は削除のいずれを選択するのかユーザに対して促す画面である。
【００５９】
ワークフロー登録／削除画面４１０２には、ユーザからワークフローを新規登録する指示を受け付けるための新規登録ボタン４１０２ａと、ユーザからワークフローを削除する指示を受け付けるための削除ボタン４１０２ｂとが含まれる。削除ボタン４１０２ｂが操作された場合の処理等については説明を省略する。
【００６０】
ワークフロー登録／削除画面４１０２の表示時に、ユーザにより新規登録ボタン４１０２ａが操作されると、表示制御部６０３は、テンプレート選択画面４１０４(図４)を表示部４０３に表示させる。テンプレート選択画面４１０４はワークフローの作成に用いるテンプレートの選択を促す画面である。テンプレート選択画面４１０４には、ワークフローの作成に用いることが可能な各テンプレートを示す画像Ｔ１〜Ｔ６が含まれる。
【００６１】
テンプレート選択画面４１０４の表示時に、ユーザにより、テンプレートを示す画像Ｔ１〜Ｔ６のいずれかを選択する操作がされると、表示制御部６０３は次の処理をする。表示制御部６０３は選択されたテンプレートを記憶部６０１から読み出し、読み出したテンプレートが示す機能の各設定(例えば、コピー機能の場合、部数、用紙サイズ、倍率、濃度、集約、原稿画質、両面分割等)についてのそれぞれの受付画面(設定画面の一例)４１０５をウィザード形式で表示部４１０に順番に表示する。
【００６２】
表示制御部６０３は、上記読み出したテンプレートが示す機能の実行に必要な全ての設定をするための受付画面４１０５について、受付画面４１０５の表示処理及びその受付画面４１０５に入力された設定値の受付処理を繰り返す。表示制御部６０３は、最後の受付画面４１０５の表示処理及びその受付画面４１０５に入力された設定値の受付処理が完了すると、表示部４０３に表示形式選択画面４１０６(図４)を表示する。
【００６３】
表示形式選択画面４１０６には、ウィザード形式表示ボタン４１０６ａ及び一覧表示ボタン４１０６ｂが含まれる。ウィザード形式表示ボタン４１０６ａは、ウィザード形式表示又は一覧表示のいずれかの表示形式の選択をユーザに促すボタンである。
【００６４】
表示形式選択画面４１０６の表示時に、ウィザード形式表示ボタン４１０６ａ及び一覧表示ボタン４１０６ｂのいずれがユーサによって操作されると、制御部６００は、上記各設定値と表示形式とテンプレートとを関連付ける。この関連付けについて、選択されたテンプレートが節約コピーの場合を例にして説明する。当該関連付けにより、節約コピーの動作を実行する前に上記受け付けられた表示形式で上記各設定値をユーザに対して確認させる表示をすると共に各設定値で節約コピーを実行するワークフローが作成される。上記受け付けられた表示形式は、後述するワークフローの呼出処理における各設定の受付画面４１０５の表示時に適用される。
【００６５】
続いて、表示制御部６０３は作成されたワークフローの名称の入力画面４１０７を表示部４０３に表示させる。入力画面４１０７にはキーボード画像４１０７ａ等が含まれ、ユーザがキーボード画像４１０７ａを操作することにより、ワークフロー名の入力が可能とされている。
【００６６】
入力画面４１０７にワークフロー名が入力されると、表示制御部６０３は確認画面４１０８を表示部４０３に表示させる。確認画面４１０８は一覧表示した画像４１０８ａ、登録ボタン４１０８ｂ及び変更ボタン４１０８ｃを含む。
【００６７】
一覧表示した画像４１０８ａは、各受付画面４１０５で受け付けられた処理項目(設定項目)の項目名と処理項目(設定項目)についての設定値との関係を並べて一覧表示した画像である。登録ボタン４１０８ｂは当該一覧表示した各処理項目で登録する指示を受け付けるためのボタンである。変更ボタン４１０８ｃは、当該一覧表示した各設定の内容を変更する指示を受け付けるためのボタンである。
【００６８】
確認画面４１０８の表示時に、ユーザにより登録ボタン４１０８ｂが操作されると、制御部６００は、カスタマイズされたテンプレートを記憶部６０１に記憶させる。この後、表示制御部６０３は表示部４０３に、登録完了をユーザに対して報知する登録完了画面４１０９を表示させる。
【００６９】
確認画面４１０８の表示時に、変更ボタン４１０８ｃが操作されると、表示制御部６０３は、先の選択が受け付けられたテンプレートが示す機能の各設定(例えば、コピー機能の場合、部数、用紙サイズ、倍率、濃度、集約、原稿画質、両面分割等)についての各受付画面４１０５を再び表示部４０３に順次表示する処理に戻る。
【００７０】
次に、画像形成装置１におけるワークフロー呼出時の処理を説明する。図５は、コピー機能のワークフローを呼び出した場合に表示される画面の遷移を示す図である。
【００７１】
画像形成装置１の主電源がユーザによりオンにされると、表示制御部６０３は、表示部４０３に予め定められた図略の初期画面を表示させる。
【００７２】
この初期画面の表示時に、ワークフローキー４１９がユーザにより操作されると、表示制御部６０３は、ワークフロー画面４１０１(図５)を表示部４０３に表示させる。ワークフロー画面４１０１には、記憶部６０１に記憶(登録)されている各ワークフローを示すワークフロー画像４１０１ａ〜４１０１ｆが含まれる。
【００７３】
ワークフロー画面４１０１の表示時に、ワークフロー画像４１０１ａ〜４１０１ｆのいずれかを選択する操作がされると、表示制御部６０３は、この選択されたワークフローを記憶部６０１から読み出す。
【００７４】
表示制御部６０３は、選択されたワークフローに対応付けられている表示形式がウィザード形式表示である場合には、読み出したワークフローが示す機能の各設定(例えば、コピー機能の場合、原稿サイズ、部数、用紙サイズ、倍率、濃度、集約印刷、原稿画質、両面分割等)についてのそれぞれの受付画面(例えば、図５に示す受付画面４１０５）を順番に、表示部４０３に表示する。
【００７５】
そして、受付画面４１０５上に表示した操作ボタン又はテンキー等を操作して、設定値を入力すると、その設定値で設定がされる。
【００７６】
表示制御部６０３は、上記読み出したテンプレートが示す機能の実行に必要な全ての設定をするための受付画面４１０５について、受付画面４１０５の表示処理及びその受付画面４１０５に入力された設定値の受付処理を繰り返す。表示制御部６０３は、最後の受付画面４１０５の表示処理及びその受付画面４１０５に入力された設定値の受付処理が完了すると、表示部４０３に確認画面４１１０(図５)を表示する。確認画面４１１０には、この時点で受け付けられている設定内容を並べて一覧表示した画像４１１０ａと、一覧表示した各設定の内容で機能を実行する指示を受け付けるための機能実行ボタン４１１０ｂとが含まれる。
【００７７】
確認画面４１１０において機能実行ボタン４１１０ｂ(コピーするボタン)又は、図２に示すスタートキー４０７を操作すると、各受付画面４１０５に入力された設定値に従って、機能が実行される。なお、設定を変更ボタン４１１０ｃは、設定を変更したい場合に操作する。
【００７８】
本実施形態は図５で説明したワークフローの呼び出しのように、画像形成装置１の操作部４００においてウィザード形式で各種設定をする場合に、同じ設定値の入力が繰り返されている受付画面(設定画面の一例)に着目している。かかる受付画面をスライドショーの対象とし、スライドショー形式で表示部４０３に表示させている。スライドショーで表示される受付画面は、次にキーを操作しなくても(設定項目の入力をしなくても)、次の受付画面に自動的に切り替わるので、ユーザは少ない操作で各種設定をすることができる。
【００７９】
以下、ウィザード形式で各種設定がされる節約コピーを例にして、図６を用いて説明する。図６はスライドショーの対象となる受付画面を決定するプロセスを説明するフローチャートである。本実施形態では設定画面として受付画面を例に説明するが、本発明における設定画面は設定値を入力する画面であれば名称を問わない。
【００８０】
ウィザード形式で各種設定がされる節約コピーの受付画面として、部数、用紙サイズ、倍率、濃度、両面／分割、ページ番号、集約、・・・、及び原稿画質の受付画面があるとする。これらの複数の受付画面のデータが、図３に示す第１の記憶部に記憶される一つの画面データである。部数、用紙サイズ、倍率、濃度、両面／分割、ページ番号、集約、・・・、及び原稿画質がそれぞれ、設定項目である。  
【００８１】
まず、ユーザは操作部４００のキーを操作して、図７に示すスライドショーの登録をするための登録画面１１を表示制御部６０３によって表示部４０３に表示させる。操作部４００のキーとは、ハードキー及びソフトキー(ボタン、タブ)を意味する。ユーザは操作部４００のキー(第３の入力部の一例)を操作して、スライドショーの時間を設定する入力をする(ステップＳ１)。ここでは、例えば１０秒とする。スライドショーの時間を予めユーザが設定することにより、スライドショーの対象となる受付画面の数が増えてもスライドショーの時間が長くならないようにしている。
【００８２】
また、ユーザは操作部４００のキーを操作して、何回連続して同じ設定値が入力された受付画面をスライドショーの対象にするかを入力する(ステップＳ１)。連続回数の値が小さすぎれば、容易にスライドショーの対象となり、大きすぎればスライドショーの対象になりにくい。本実施形態では同じ設定値が入力され続ける受付画面をスライドショーの対象とし、この受付画面において設定値を入力する操作及び次にキーの操作を省略するようにしている。したがって、設定値が変更される可能性がある受付画面はスライドショーの対象にならないようにする必要がある。かかる観点から連続回数の値を決める。ここでは例えば５回とする。例えば用紙サイズの受付画面に５回連続して同じ設定値が入力された場合、用紙サイズの受付画面がスライドショーの対象となる。
【００８３】
図５に示すワークフロー画面４１０１において、ユーザはワークフロー画像４１０１ｃを操作して、節約コピーを選択する(ステップＳ３)。これにより表示制御部６０３によって部数の受付画面４１０５が表示部４０３に表示される。以下、表示部４０３に画面を表示及び切り替える制御は、表示制御部６０３によって実行される。
【００８４】
部数の受付画面４１０５には次にキー４１０５ａ、前へキー４１０５ｂ、部数を入力するキー４１０５ｃ，４１０５ｄ等が含まれる。次にキー４１０５ａ(第１の入力部の一例)は、次の受付画面に切り替える切替命令を入力するキーである。前へキー４１０５ｂは、前の受付画面に切り替える切替命令を入力するキーである。次にキー４１０５ａ及び前へキー４１０５ｂは、全ての受付画面、ここでは部数、用紙サイズ、倍率、濃度、両面／分割、ページ番号、集約、・・・、及び原稿画質の受付画面に含まれる。
【００８５】
ユーザは部数を入力するキー４１０５ｃ，４１０５ｄを操作して部数を入力後、次にキー４１０５ａを操作することにより、部数の受付画面４１０５から用紙サイズの受付画面４１０５に切り替わる。部数の受付画面４１０５以降の受付画面４１０５は図５に具体的に示されていない。用紙サイズの受付画面４１０５に用紙サイズを入力後、次にキー４１０５ａを操作することにより、倍率の受付画面４１０５に切り替わる。以下同様に受付画面４１０５への設定値の入力と、次にキー４１０５ａの操作とを繰り返す(ステップＳ５)。
【００８６】
最後の受付画面である原稿画質の受付画面４１０５に設定値を入力し、次にキー４１０５ａを操作すると、図５に示す確認画面４１１０が表示される。機能実行ボタン４１１０ｂ又はスタートキー４０７を操作すると(ステップＳ７)、節約コピーが実行される。その操作により、節約コピーの処理項目(設定項目)である部数、用紙サイズ、倍率、濃度、両面／分割、ページ番号、集約、・・・、及び原稿画質の設定値が制御部６００によって第２の記憶部に記憶される(ステップＳ９)。
【００８７】
第２の記憶部に記憶されている上記設定値を利用して、判定部６０５は部数等の受付画面４１０５のうち、連続して同じ設定値が入力された受付画面４１０５があるか否かを判定する(ステップＳ１１)。連続数はステップＳ１で説明しているように、ユーザにより予め設定され、ここでは５回に設定されている。１回目の節約コピーの実行なので(ステップＳ１１でＮｏ)、ステップＳ３に戻る。以降の節約コピーの実行でもステップＳ３，Ｓ５，Ｓ７，Ｓ９，Ｓ１１の処理を繰り返す。
【００８８】
用紙サイズの受付画面４１０５に５回連続してＡ４の設定値が入力され、ページ番号の受付画面４１０５に５回連続してＯＦＦ(ページ番号を付けない)の設定値が入力されたとする(ステップＳ１１でＹｅｓ)。
【００８９】
決定部６０５は用紙サイズ及びページ番号の受付画面４１０５をスライドショーの対象として決定する(ステップＳ１３)。用紙サイズの受付画面４１０５にはデフォルト値としてＡ４が設定され、ページ番号の受付画面４１０５にはデフォルト値としてＯＦＦが設定される。すなわち、決定部６０５は、判定部６０７によって５回連続して同じ設定値が入力された判定がされた受付画面について、当該設定値をデフォルト値とし、予め定められた操作がされた受付画面としてスライドショーの対象にする決定をする。
【００９０】
割当部６０９は、ステップＳ１でユーザが予め登録したスライドショーの時間から各受付画面の表示時間を割り当てる(ステップＳ１５)。ステップＳ１で説明したように、スライドショーの時間は１０秒とされている。スライドショーの対象となる受付画面の数は二つなので、一つの受付画面の表示時間は５秒となる。スライドショーの対象となる受付画面の数が五つであれば、一つの受付画面の表示時間は２秒となる。このように、割当部６０９は第３の入力部により入力されたスライドショーの時間内に収まるように、決定部６０５でスライドショーの対象とする決定がされた受付画面のそれぞれについて、表示部４０３での表示時間を割り当てる。
【００９１】
スライドショーの時間が比較的長く設定された場合、スライドショーの対象となる受付画面の数が少なければ、一つの受付画面の表示時間が必要以上に長くなる。そこで、一つの受付画面の表示時間を例えば３秒と設定し、割当部６０９で割り当てられ表示時間が３秒より大きければ、一つの受付画面の表示時間を３秒にしてもよい。
【００９２】
図６を用いて説明した以上の処理により、次回から図５に示すワークフロー画面４１０１において、ワークフロー画像４１０１ｃを操作して、節約コピーを選択すれば、図８に示す受付画面２１が表示部４０３に表示される。受付画面２１は、進行状況画像２３が含まれる点で図５に示す受付画面４１０５と異なる。部数以外の他の処理項目の受付画面２１にも進行状況画像２３が含まれる。
【００９３】
進行状況画像２３は節約コピーの設定に利用される複数の受付画面、すなわち部数、用紙サイズ、倍率、濃度、両面／分割、ページ番号、集約、・・・、及び原稿画質の受付画面２１の表示の進行状況を示す。進行状況画像２３は枠画像２５と複数の対応画像２７を含む。複数の対応画像２７は複数の受付画面(ここでは節約コピーの複数の受付画面)２１に対応しており、間隔を設けて一列に並べて配置されている。この配置を用いて複数の受付画面２１が表示される進行状況を示す。
【００９４】
一つの対応画像２７が一つの受付画面２１に対応する。枠画像２５で囲まれている対応画像２７が現在、表示部４０３に表示されている受付画面２１に対応する。枠画像２５の位置から、設定が完了した受付画面２１の数とこれから設定がされる受付画面２１の数を把握することができる。
【００９５】
反転表示された対応画像２７ａはスライドショーの対象となる受付画面２１を示している。用紙サイズ及びページ番号の受付画面２１がスライドショーの対象なので、対応画像２７ａは二つある。反転表示されていない対応画像２７ｂはスライドショーの対象とならない受付画面２１を示している。このように、対応画像２７はスライドショーの対象となる受付画面２１とスライドショーの対象とならない受付画面２１とで区別されているので、何番目に表示される受付画面２１がスライドショー形式で表示されるのかをユーザが予め把握することができる。したがって、スライドショーの対象となる受付画面２１と対象とならない受付画面２１をユーザはスムーズに使い分けることができる。
【００９６】
スライドショーの対象となる受付画面２１にはデフォルト値が設定されている。このデフォルト値は連続して入力された同じ設定値のことであり、用紙サイズのデフォルト値はＡ４、ページ番号のデフォルト値はＯＦＦである。すなわち、表示制御部６０３は、決定部６０５によってスライドショーの対象にする決定がされた受付画面２１を、デフォルト値が設定された状態で表示する制御をする。
【００９７】
表示制御部６０３はスライドショーの対象となる受付画面２１が表示された場合、次にキー４１０５ａの操作を条件とせずに、予め定められた時間の経過後に次の受付画面２１に切り替える制御をする。図６のステップＳ１５で説明したように、スライドショーの対象となる受付画面２１の表示時間は５秒なので、５秒経過後に次の受付画面２１に切り替わる。このように表示制御部６０３は割当部６０９で割り当てられた時間に従って、決定部６０５でスライドショーの対象にする決定がされた受付画面２１のそれぞれの表示を制御する。
【００９８】
本実施形態では表示部４０３の面積が比較的小さいので、対応画像２７の面積を大きくすることができず、各対応画像２７がどの受付画面２１に対応するかについて対応画像２７で示すことができない。したがって、どの受付画面２１がスライドショーの対象に決定されたかは、対応画像２７を見るだけでは分からない。そこで、反転表示された対応画像２７ａをタッチ(操作)することにより、図９に示す画面３１に表示が切り替わる。
【００９９】
画面３１には、部数の文字画像３３ａ、用紙サイズの文字画像３３ｂ、倍率の文字画像３３ｃ、濃度の文字画像３３ｄ、両面／分割の文字画像３３ｅ、ページ番号の文字画像３３ｆ、集約の文字画像３３ｇ、・・・、及び原稿画質の文字画像３３ｈが含まれる。これらは節約コピーの設定に用いられる複数の受付画面２１を示している。反転表示された文字画像、ここでは用紙サイズの文字画像３３ｂ及びページ番号の文字画像３３ｆが、スライドショーの対象となる受付画面２１を示している。画面３１には戻るキー３５が含まれており、戻るキー３５を操作することにより、受付画面２１に切り替わる。
【０１００】
スライドショーの対象となる受付画面２１に設定されているデフォルト値を取り消したい場合は、反転表示された文字画像をタッチ(操作)することにより、その文字画像で示す受付画面２１をスライドショーの対象から外すことができる。以降、その受付画面２１については、設定値の入力が受け付けられて、次にキー４１０５ａを操作しなければ、次の受付画面２１に切り替えることができない。例えば、用紙サイズの文字画像３３ｂを操作すれば、用紙サイズの受付画面２１をスライドショーの対象から外すことができ、設定値の入力が受け付けられる。
【０１０１】
以上説明したように、図８に示す反転表示された対応画像２７ａを操作して、図９に示す画面３１に切り替えて、反転表示された文字画像３３ｂ，３３ｆのうち、スライドショーの対象から外したい文字画像を操作することにより、その文字画像で示す受付画面２１をスライドショーの対象から外すことができる。反転表示された対応画像２７ａの操作は、第４の入力部によりスライドショーの対象となる受付画面２１の対応画像２７ａを指定する入力である。
【０１０２】
反転表示された対応画像２７ａの操作(第４の入力部による入力)を基にして、スライドショーの対象から外す選択がされた受付画面２１について、表示制御部６０３は当該受付画面２１を次の受付画面２１に切り替えるのに次にキー４１０５ａの操作(第１の入力部による切替命令の入力)を必要とする表示制御に戻す。
【０１０３】
このように、スライドショーの対象となる受付画面の対応画像２７ａを指定する入力を基にして、スライドショーの対象から外す受付画面の選択をするので、スライドショーの対象から外したい受付画面をスムーズに選択できる。
【０１０４】
なお、表示部４０３の面積が比較的大きければ、部数の文字画像３３ａ等を対応画像２７にする態様が可能となる。この態様では進行状況画像２３は部数の文字画像３３ａ、用紙サイズの文字画像３３ｂ，・・・，原稿画質の文字画像３３ｈにより構成される。反転表示された文字画像３３ｂ，３３ｆのうち、スライドショーの対象から外したい文字画像を操作することにより、図９に示す画面３１を表示させることなく、スライドショーの対象から外すことができる。
【０１０５】
本実施形態では反転表示されていない文字画像(ここでは文字画像３３ａ等)をタッチ(操作)することにより、その文字画像で示す受付画面２１をスライドショーの対象にすることができる。連続(ここでは５回連続)して同じ設定値が入力さていない受付画面２１についても、ユーザはスライドショーの対象にすることができる。
【０１０６】
部数を例にして説明する。部数の文字画像３３ａを操作すると、部数の受付画面２１(図示せず)が表示される。ユーザは部数を入力して、確定キー(図示せず)を操作すると、図９に示す画面３１に戻る。部数の受付画面２１はスライドショーの対象に設定されたので、部数の文字画像３３ａは文字画像３３ｂ，３３ｆと同様に反転表示される。部数の文字画像３３ａの操作及び部数を入力する操作が、第２の入力部による入力操作に相当する。
【０１０７】
決定部６０５は第２の入力部によって選択されてデフォルト値が設定された受付画面を、予め定められた操作がされた受付画面としてスライドショーの対象にする決定をする。ここでは、上記入力した部数をデフォルト値とする部数の受付画面をスライドショーの対象に決定する。
【０１０８】
表示制御部６０３は決定部６０５によってスライドショーの対象にする決定がされた受付画面を、デフォルト値が設定された状態で表示する制御をする。ここでは上記入力した部数をデフォルト値とする部数の受付画面が表示部４０３に表示される。
【０１０９】
以上の構成によれば、ユーザが連続して同じ設定値を入力する予定の受付画面について、その設定値をデフォルト値として、最初からスライドショーで表示させることができる。これにより、ユーザは次にキー４１０５ａを操作する手間及び設定値を入力する手間を最初から省くことができる。
【０１１０】
次に、スライドショーの対象となる受付画面２１を含む場合の受付画面２１の切り替え制御について図１０を用いて説明する。図１０はこの制御を説明するフローチャートである。節約コピーを例にして説明する。まず、図５に示すワークフロー画面４１０１において、ユーザはワークフロー画像４１０１ｃを操作して、節約コピーを選択する(ステップＳ２１)。表示部４０３には、図８に示す部数の受付画面２１が表示される(ステップＳ２３)。
【０１１１】
制御部６００は、表示部４０３に表示されている受付画面２１が最後の受付画面２１(ここでは原稿画質の受付画面２１)であるか否かを判断する(ステップＳ２５)。最後の受付画面２１ではないので(ステップＳ２５でＮｏ)、次に制御部６００はその受付画面２１がスライドショーの対象か否かを判断する(ステップＳ２７)。
【０１１２】
部数の受付画面２１はスライドショーの対象ではないので(ステップＳ２７でＮｏ)、制御部６００は次にキー４１０５ａの操作がされた否かを判断する(ステップＳ２９)。次にキー４１０５ａが操作されなければ(ステップＳ２９でＮｏ)、部数の受付画面２１が表示された状態で、次にキー４１０５ａの操作を待つ。
【０１１３】
次にキー４１０５ａが操作されれば(ステップＳ２９でＹｅｓ)、次の受付画面２１が表示される(ステップＳ３１)。ここでは用紙サイズの受付画面２１(図示せず)が表示される。そして、ステップＳ２５に戻る。
【０１１４】
用紙サイズの受付画面２１は最後の受付画面２１ではない(ステップＳ２５でＮｏ)。用紙サイズの受付画面２１は、スライドショーの対象なので(ステップＳ２７でＹｅｓ)、表示制御部６０３は予め定められ時間経過後(本実施形態では５秒後)に自動的に次の受付画面２１に切り替わり、表示部４０３には次の受付画面２１である倍率の受付画面２１(図示せず)が表示される(ステップＳ３１)。以降、同様の処理を繰り返して、ウィザード形式による設定がされる。
【０１１５】
そして、原稿画質の受付画面２１(図示せず)が表示部４０３に表示されると(ステップＳ３１)、原稿画質の受付画面２１(図示せず)は最後の受付画面２１なので(ステップＳ２５でＹｅｓ)、本実施形態にかかる受付画面２１の切り替え処理が終了する。
【０１１６】
本実施形態の主な効果を説明する。
【０１１７】
(１)本実施形態によれば、ウィザード形式の設定で用いられる複数の受付画面のうち予め定められた操作がされた設定画面について、次にキー４１０５ａの操作を条件とせずに次の受付画面に切り替えるスライドショーで表示する。このため、ウィザード形式による設定において、必要な操作を的確に案内しつつ、ユーザの操作を少なくすることができる。なお、予め定められた操作とは本実施形態では二つある。一つは同じ受付画面に５回連続して同じ設定値を入力する操作である。他の一つは第２の入力部によりスライドショーの対象となる受付画面を選択する操作である。
【０１１８】
(２)本実施形態によれば、５回連続して同じ設定値が入力された受付画面については、次回も同じ設定値が入力されるものと見なして、その設定値をデフォルト値として、スライドショーで表示する。これにより、ユーザは次にキー４１０５ａを操作する手間及び次に入力される可能性の高い設定値を入力する操作を省略することができる。
【０１１９】
(３)本実施形態によれば、スライドショーの時間を予めユーザが設定することで、スライドショーの対象となる受付画面の数が増えても、スライドショーの時間が長くならないようにできる。よって、スライドショーの時間が長くなることにより、ウィザード形式による設定に要する時間が長くなることを防止することができる。
【符号の説明】
【０１２０】
１  画像形成装置
１１  スライドショーの登録画面
２１  受付画面(設定画面の例)
２３  進行状況画像
２５  枠画像
２７  一つの受付画面に対応する一つの対応画像
３１  画面
３３ａ，３３ｂ，３３ｃ，３３ｄ，３３ｅ，３３ｆ，３３ｇ，３３ｈ  文字画像
４００  操作部(操作装置の例)
４０３  表示部
４１０５  受付画面(設定画面の例)
【図１】
2011173301.tif 000003
【図２】
2011173301.tif 000004
【図３】
2011173301.tif 000005
【図４】
2011173301.tif 000006
【図５】
2011173301.tif 000007
【図６】
2011173301.tif 000008
【図７】
2011173301.tif 000009
【図８】
2011173301.tif 000010
【図９】
2011173301.tif 000011
【図１０】
2011173301.tif 000012